(57)【要約】【課題】用途と使い方が自由で、飾り玉やピースが紐上を移動可能でファッション性に優れた、布切れを使用した紐状アクセサリーを提供することを目的とする。【解決手段】布切れ２をロール状に巻いて中心に紐状部材１を通すための孔を形成し、紐状部材１に飾り玉３とピースを交互に通して、両端が飾り玉３になるよう配し、紐状部材１の長さはすべてのピースと飾り玉３を並べた長さよりも長く、紐状部材１の両端にストッパーを形成し、紐状部材１と飾り玉３およびピースは固定されておらず移動自在であることを特徴とする。ロール状のピースの形状は、円柱状と紡錘状がある。中心に管状部材４を使用して布切れ２を巻いてもよい。また、ピースの全部または一部に、紐状部材１を通すための管状部材４をお手玉状に縫製した布切れ２の中心に貫通させて固定し布切れ２の内側に綿などの充填材５を入れてお手玉状に形成したお手玉状のピースを用いてもよい。【選択図】図１
0003140590.tif 000002
【実用新案登録請求の範囲】
【請求項１】
紐状部材（１）と、細長い布切れ（２）をロール状に巻いて中心に紐状部材（１）を通すための孔を形成し布切れ（２）の少なくとも芯側の端と外周側の端の二箇所を接着または縫製により固定して作られた複数のピースと、紐状部材（１）を通す孔を有した複数の飾り玉（３）とを有し、紐状部材（１）を前記飾り玉（３）とピースを交互に通し、最初と最後には飾り玉（３）がくるように配置し、紐状部材（１）の長さはすべてのピースと飾り玉（３）を並べた長さよりも長く、ピースと飾り玉（３）は紐状部材（１）に固定されておらず移動自在であり、紐状部材（１）の両端には端の飾り玉（３）が抜け落ちるのを防止するためのストッパーが形成されていることを特徴とする紐状アクセサリー。
【請求項２】
紐状部材（１）と、紐状部材（１）を通すための管状部材（４）をお手玉状に縫製した布切れ（２）の中心に貫通させて固定し布切れ（２）の内側に綿などの充填材（５）を入れてお手玉状に形成した複数のピースと、紐状部材（１）を通す孔を有した複数の飾り玉（３）とを有し、紐状部材（１）に前記飾り玉（３）とピースを交互に通し、最初と最後には飾り玉（３）がくるように配置し、紐状部材（１）の長さはすべてのピースと飾り玉（３）を並べた長さよりも長く、ピースと飾り玉（３）は紐状部材（１）に固定されておらず移動自在であり、紐状部材（１）の両端には端の飾り玉（３）が抜け落ちるのを防止するためのストッパーが形成されていることを特徴とする紐状アクセサリー。
【請求項３】
紐状部材（１）と、細長い布切れ（２）をロール状に巻いて中心に紐状部材（１）を通すための孔を形成し布切れ（２）の少なくとも芯側の端と外周側の端の二箇所を接着または縫製により固定して作られた少なくとも１個以上のピースと、紐状部材（１）を通すための管状部材（４）をお手玉状に縫製した布切れ（２）の中心に貫通させて固定し布切れ（２）の内側に綿などの充填材（５）を入れてお手玉状に形成した少なくとも１個以上のお手玉状のピースと、紐状部材（１）を通す孔を有した複数の飾り玉（３）とを有し、紐状部材（１）に前記飾り玉（３）とロール状のピースまたはお手玉状のピースを交互に通し、最初と最後には飾り玉（３）がくるように配置し、紐状部材（１）の長さはすべてのピースと飾り玉（３）を並べた長さよりも長く、ロール状またはお手玉状のピースと飾り玉（３）は紐状部材（１）に固定されておらず移動自在であり、紐状部材（１）の両端には端の飾り玉（３）が抜け落ちるのを防止するためのストッパーが形成されていることを特徴とする紐状アクセサリー。
【請求項４】
管状部材（４）に細長い布切れ（２）をロール状に巻いて中心に紐状部材（１）を通すための孔を形成し布切れ（２）の少なくとも芯側の端と外周側の端の二箇所を接着または縫製により固定して作られたピースを使用することを特徴とする請求項１または３に記載された紐状アクセサリー。
【請求項５】
幅の均一な細長い布切れ（２）をロール状に巻いて円柱状に形成したピースを使用することを特徴とする請求項１、３または４に記載された紐状アクセサリー。
【請求項６】
幅が外周方向にいくにつれて徐々に短くなる細長い布切れ（２）をロール状に巻いて紡錘状に形成したピースを使用することを特徴とする請求項１、３または４に記載された紐状アクセサリー。
【考案の詳細な説明】
【技術分野】
【０００１】
この考案は、ネックレス、ブレスレット、ベルト、アンクレット、耳飾り、髪飾り、眼鏡紐、バックの飾付け等、用途が自由で、巻いたり、掛けたり、縛ったりと、使い方が自由で、ファッション性に優れた、布切れを使用した紐状アクセサリーに関するものである。
【背景技術】
【０００２】
従来の紐状アクセサリーは、用途も使い方も限定されていた。紐と飾り玉やピースなどが固定されていて動かない構造であった。
【特許文献１】登録実用新案第３０１５２５６号公報
【考案の開示】
【考案が解決しようとする課題】
【０００３】
上記した従来の紐状アクセサリーには次のような問題点があった。用途も使い方も限定されているため、自由な発想に基づいて使用するということができなかった。飾り玉やピースが動かないので、ファッション性が今ひとつ足りなかった。付け心地や触り心地がよくなかった。古い布切れなどを活用することのできる見栄えの良いファッション性の高い魅力的な紐状アクセサリーが今までなかった。
【０００４】
本考案は、上記した従来の問題点を解決する紐状アクセサリーを提供することを目的とする。
【課題を解決するための手段】
【０００５】
請求項１記載の考案の紐状アクセサリーは、紐状部材と、細長い布切れをロール状に巻いて中心に紐状部材を通すための孔を形成し布切れの少なくとも芯側の端と外周側の端の二箇所を接着または縫製により固定して作られた複数のピースと、紐状部材を通す孔を有した複数の飾り玉とを有し、紐状部材を前記飾り玉とピースを交互に通し、最初と最後には飾り玉がくるように配置し、紐状部材の長さはすべてのピースと飾り玉を並べた長さよりも長く、ピースと飾り玉は紐状部材に固定されておらず移動自在であり、紐状部材の両端には端の飾り玉が抜け落ちるのを防止するためのストッパーが形成されていることを特徴とする。
【０００６】
請求項２記載の考案の紐状アクセサリーは、紐状部材と、紐状部材を通すための管状部材をお手玉状に縫製した布切れの中心に貫通させて固定し布切れの内側に綿などの充填材を入れてお手玉状に形成した複数のピースと、紐状部材を通す孔を有した複数の飾り玉とを有し、紐状部材に前記飾り玉とピースを交互に通し、最初と最後には飾り玉がくるように配置し、紐状部材の長さはすべてのピースと飾り玉を並べた長さよりも長く、ピースと飾り玉は紐状部材に固定されておらず移動自在であり、紐状部材の両端には端の飾り玉が抜け落ちるのを防止するためのストッパーが形成されていることを特徴とする。
【０００７】
請求項３記載の考案の紐状アクセサリーは、紐状部材と、細長い布切れをロール状に巻いて中心に紐状部材を通すための孔を形成し布切れの少なくとも芯側の端と外周側の端の二箇所を接着または縫製により固定して作られた少なくとも１個以上のロール状のピースと、紐状部材を通すための管状部材をお手玉状に縫製した布切れの中心に貫通させて固定し布切れの内側に綿などの充填材を入れてお手玉状に形成した少なくとも１個以上のお手玉状のピースと、紐状部材を通す孔を有した複数の飾り玉とを有し、紐状部材に前記飾り玉とロール状のピースまたはお手玉状のピースを交互に通し、最初と最後には飾り玉がくるように配置し、紐状部材の長さはすべてのピースと飾り玉を並べた長さよりも長く、ロール状のピースとお手玉状のピースと飾り玉は紐状部材に固定されておらず移動自在であり、紐状部材の両端には端の飾り玉が抜け落ちるのを防止するためのストッパーが形成されていることを特徴とする。
【０００８】
請求項４記載の考案は、前記請求項１または３に記載された紐状アクセサリーにおいて、管状部材に細長い布切れをロール状に巻いて中心に紐状部材を通すための孔を形成し布切れの少なくとも芯側の端と外周側の端の二箇所を接着または縫製により固定して作られたピースを使用することを特徴とする。
【０００９】
請求項５記載の考案は、前記請求項１、３または４に記載された紐状アクセサリーにおいて、幅の均一な細長い布切れをロール状に巻いて円柱状に形成したロール状のピースを使用することを特徴とする。
【００１０】
請求項６記載の考案は、前記請求項１、３または４に記載された紐状アクセサリーにおいて、幅が外周方向にいくにつれて徐々に短くなる細長い布切れをロール状に巻いて紡錘状に形成したロール状のピースを使用することを特徴とする。
【考案の効果】
【００１１】
上記の考案によれば、布切れを活用して紐状アクセサリーを作ることができる。ピースが布製なので触り心地や付け心地がよく、見た目にも柔らかい印象を与える。飾り玉とピースが紐状部材を移動自在なのでファッション性が高く見た目にも面白く魅力的である。飾り玉やピースを移動させて中央に寄せたり、左右に分けてたり、一方の端に寄せたりして、変化させることによりファッションを楽しむこともできる。飾り玉が布製のピースの両側に配されているので非常に綺麗であり、飾り玉がピースの両側を保護しているので布の傷みを防止する働きがある。ネックレス、ブレスレット、ベルト、アンクレット、耳飾り、髪飾り、眼鏡紐、バックの飾付け等、用途は自由であり、巻いたり、掛けたり、縛ったりと、使い方も自由である。
【００１２】
特に、請求項１記載の考案によれば、ピースが布切れでできているので非常に柔らかなロール状のピースとすることができる。布切れをロール状に巻くことで布切れの柄を生かした美しいピースになる。
【００１３】
特に、請求項２記載の考案によれば、ピースがお手玉状なので形は丸みを帯びて非常に柔らかい。布切れの柄をそのまま生かした美しいピースになる。
【００１４】
特に、請求項３記載の考案によれば、ロール状のピースとお手玉状のピースを使用して、バラエティー豊かなデザインの紐状アクセサリーを作ることができる。
【００１５】
特に、請求項４記載の考案によれば、管状部材を用いることによりロール状のピースの製作が容易になる。中心に孔を作る作業が省かれるし、ピースの仕上がりを円に近づけることができる。
【００１６】
特に、請求項５記載の考案によれば、ロール状のピースのデザインを円柱状とすることができる。
【００１７】
特に、請求項６記載の考案によれば、ロール状のピースのデザインを紡錘状とすることができる。
【００１８】
本考案は、飾り玉と、管状部材を使用しない円柱状のピース、管状部材を使用した円柱状のピース、管状部材を使用しない紡錘状のピース、管状部材を使用した紡錘状のピース、お手玉状のピース、を自由に組合せることによりバラエティー豊かなデザインの紐状アクセサリーを作り出すことができる。
【考案を実施するための最良の形態】
【００１９】
添付図面に基づき本考案を実施するための最良の形態について説明するが、本考案は以下の形態にのみ限定されるべきものではないことはいうまでもない。
【００２０】
紐状部材１には、紐、テグス、ゴム、その他あるが、特に限定しない。飾り玉３はビーズなどを用いるが、特に限定しない。本実施形態のストッパーは、小さいビーズを通したあと紐状部材１の先端を結んで止めているが、これに限定しない。
【００２１】
図１２に示した布切れ２をロール状に巻いて布切れ２の芯側の端と外周側の端を接着剤または縫製で固定すると円筒状のピースが形成される。図４、図９は、管状部材４を使用しない円柱状のピースの断面であり、図６、図１０は、管状部材４を使用した円柱状のピースの断面である。図１４は管状部材４であり、ストローなどを用いることができる。管状部材４に布切れ２を巻きつける場合は接着剤で布切れ２の端を管状部材４に固定するとよい。図１は円筒状のピースを用いた紐状アクセサリーである。紐状部材１に飾り玉３とピースを交互に通して、両端が飾り玉３になるように配し、紐状部材１の両端にストッパーを形成したものである。
【００２２】
図１３に示した布切れ２の幅の広い方の端を芯側にしてロール状に巻いて布切れ２の芯側の端と外周側の端を接着剤または縫製で固定すると紡錘状のピースが形成される。図５、図９は、管状部材４を使用しない紡錘状のピースの断面であり、図７、図１０は、管状部材４を使用した紡錘状のピースの断面である。図１４は管状部材４であり、ストローなどを用いることができる。管状部材４に布切れ２を巻きつける場合は接着剤で布切れ２の端を管状部材４に固定するとよい。図２は紡錘状のピースを用いた紐状アクセサリーである。紐状部材１に飾り玉３とピースを交互に通して、両端が飾り玉３になるように配し、紐状部材１の両端にストッパーを形成したものである。
【００２３】
図８、図１１は、お手玉状のピースの断面である。紐状部材１を通すための管状部材４をお手玉状に縫製した布切れ２の中心に貫通させて固定し布切れ２の内側に綿などの充填材５を入れてお手玉状に形成する。図１４は管状部材４であり、ストローなどを用いることができる。お手玉状に縫製された布切れ２の両側の孔は管状部材４を貫通させて管状部材４に接着するとよい。布切れ２の内側には綿などの充填材５を入れてお手玉を膨らませる。図３はお手玉状のピースを用いた紐状アクセサリーである。紐状部材１に飾り玉３とピースを交互に通して、両端が飾り玉３になるように配し、紐状部材１の両端にストッパーを形成したものである。
【００２４】
図示しないが、円柱状のピースと紡錘状のピースとお手玉状のピースの中から２つ以上の種類を選択して組み合わせて紐状アクセサリーをデザインしてもよい。
【図面の簡単な説明】
【００２５】
【図１】円柱状のピースを用いた本考案に係る紐状アクセサリーの実施形態をあらわす説明図。
【図２】紡錘状のピースを用いた本考案に係る紐状アクセサリーの実施形態をあらわす説明図。
【図３】お手玉状のピースを用いた本考案に係る紐状アクセサリーの実施形態をあらわす説明図。
【図４】円柱状のピースを用いた本考案に係る紐状アクセサリーの実施形態をあらわす縦断面図。
【図５】紡錘状のピースを用いた本考案に係る紐状アクセサリーの実施形態をあらわす縦断面図。
【図６】管状部材を使用した円柱状のピースを用いた本考案に係る紐状アクセサリーの実施形態をあらわす縦断面図。
【図７】管状部材を使用した紡錘状のピースを用いた本考案に係る紐状アクセサリーの実施形態をあらわす縦断面図。
【図８】お手玉状のピースを用いた本考案に係る紐状アクセサリーの実施形態をあらわす縦断面図。
【図９】管状部材を使用しないピースを用いた本考案に係る紐状アクセサリーの実施形態をあらわす横断面図。
【図１０】管状部材を使用したピースを用いた本考案に係る紐状アクセサリーの実施形態をあらわす横断面図。
【図１１】お手玉状のピースを用いた本考案に係る紐状アクセサリーの実施形態をあらわす横断面図。
【図１２】円柱状のピースの材料となる布切れをあらわす平面図。
【図１３】紡錘状のピースの材料となる布切れをあらわす平面図。
【図１４】管状部材をあらわす説明図。
【符号の説明】
【００２６】
１    紐状部材
２    布切れ
３    飾り玉
４    管状部材
５    充填材
【図１】
0003140590.tif 000003
【図２】
0003140590.tif 000004
【図３】
0003140590.tif 000005
【図４】
0003140590.tif 000006
【図５】
0003140590.tif 000007
【図６】
0003140590.tif 000008
【図７】
0003140590.tif 000009
【図８】
0003140590.tif 000010
【図９】
0003140590.tif 000011
【図１０】
0003140590.tif 000012
【図１１】
0003140590.tif 000013
【図１２】
0003140590.tif 000014
【図１３】
0003140590.tif 000015
【図１４】
0003140590.tif 000016